(57)【要約】【課題】光モジュール等のコネクタに取り付けられる抜去部品において、光モジュール等のコネクタに取り付けやすい抜去部品を提供する。【解決手段】コネクタに取り付けられる抜去部品であって、前記コネクタの筐体に取り付けられるラッチと、前記ラッチに接続されるタブと、を有し、前記ラッチは、２つの支持部と、前記２つの支持部を接続する梁部と、を有しており、前記支持部は一方の端において前記梁部により接続されており、前記タブは、本体部と、前記本体部の一方の側に設けられた接続溝と、前記本体部の他方の側に設けられた取手と、を有しており、前記支持部と前記梁部との間の接続部を前記接続溝に入れることにより、前記ラッチと前記タブとが接続されることを特徴とする抜去部品を提供することにより上記課題を解決する。【選択図】  図５
2018169490.tif 000002
【特許請求の範囲】
【請求項１】
コネクタに取り付けられる抜去部品であって、
前記コネクタの筐体に取り付けられるラッチと、
前記ラッチに接続されるタブと、
を有し、
前記ラッチは、２つの支持部と、前記２つの支持部を接続する梁部と、を有しており、
前記支持部は一方の端において前記梁部により接続されており、
前記タブは、本体部と、前記本体部の一方の側に設けられた接続溝と、前記本体部の他方の側に設けられた取手と、を有しており、
前記支持部と前記梁部との間の接続部を前記接続溝に入れることにより、前記ラッチと前記タブとが接続されることを特徴とする抜去部品。
【請求項２】
前記接続溝は、前記抜去部品の抜去方向に垂直に出っ張った第１の突起部と第２の突起部との間に形成され、
前記第１の突起部には第１のフックが設けられており、
前記第２の突起部には第２のフックが設けられており、
前記接続溝に前記接続部を入れた際には、前記接続溝の底面と前記第１のフックとの隙間、及び、前記接続溝の底面と前記第２のフックとの隙間に前記接続部が入ることを特徴とする請求項１に記載の抜去部品。
【請求項３】
前記タブの内側には、引っ掛け部が形成されており、
前記本体部と前記引っ掛け部とは前記筐体側において接続されており、
前記接続溝は前記本体部と前記引っ掛け部との間に形成されており、
前記引っ掛け部には、前記接続溝側に出っ張ったフックが設けられており、
前記接続溝に前記接続部を入れた際には、前記接続部は前記フックよりも奥に入れられることを特徴とする請求項１に記載の抜去部品。
【請求項４】
光モジュールと、
請求項１から３のいずれかに記載の抜去部品と、
を有し、
前記コネクタは光モジュールであって、前記抜去部品が取り付けられていることを特徴とする光モジュール。
【発明の詳細な説明】
【技術分野】
【０００１】
本発明は、抜去部品及び光モジュールに関する。
【背景技術】
【０００２】
スーパーコンピュータ、ハイエンドサーバーの高速インターフェースにおける通信においては、光通信が普及しつつある。光通信では、電気信号と光信号との変換を行う光モジュールが用いられている。
【０００３】
光モジュールは、発光素子、受光素子、発光素子を駆動する駆動回路等が設けられている。発光素子、受光素子、駆動回路はプリント基板に搭載されており、発光素子及び受光素子とレンズ付きフェルールとの間は光導波路により接続されている。
【０００４】
光モジュールは、光ケーブルと、通信装置のパックパネル等に設けられたコネクタとに接続される。光モジュールはコネクタに高密度に接続することが求められるため、接続された光モジュールを抜去しやすいように、プルタブ等の抜去部品が設けられている。抜去部品は筐体の外側に取り付けられており、光モジュールを容易に引き抜くことができるように形成されている。
【先行技術文献】
【特許文献】
【０００５】
【特許文献１】特開２０１５−２３１４３号公報
【特許文献２】特開２０１４−１０９７７６号公報
【特許文献３】特表２０１４−５２９１６４号公報
【特許文献４】特表２０１４−５００６０２号公報
【特許文献５】国際公開第２０１５／１９０２１１号パンフレット
【特許文献６】特開２０１５−１１１７３号公報
【発明の概要】
【発明が解決しようとする課題】
【０００６】
抜去部品は、筐体と接続するための金属等により形成されたラッチと、指で引っ張るための樹脂等により形成されたタブとを有し、ラッチとタブとは一体に形成されている。ラッチとタブとが一体に形成されている抜去部品を光モジュールの筐体に取り付ける場合、タブが邪魔になり筐体に取り付ける作業が困難であるため、筐体に取り付けやすいものが求められている。
また、ユーザによっては、タブを取り替えたいニーズがあるものの、ラッチとタブとが一体に形成されているためタブのみを取り替えることはできなかった。
【課題を解決するための手段】
【０００７】
本実施の形態の一観点によれば、コネクタに取り付けられる抜去部品であって、前記コネクタの筐体に取り付けられるラッチと、前記ラッチに接続されるタブと、を有し、前記ラッチは、２つの支持部と、前記２つの支持部を接続する梁部と、を有しており、前記支持部は一方の端において前記梁部により接続されており、前記タブは、本体部と、前記本体部の一方の側に設けられた接続溝と、前記本体部の他方の側に設けられた取手と、を有しており、前記支持部と前記梁部との間の接続部を前記接続溝に入れることにより、前記ラッチと前記タブとが接続されることを特徴とする。
【発明の効果】
【０００８】
開示の抜去部品によれば、抜去部品を光モジュール等のコネクタに容易に取り付けることができる。
【図面の簡単な説明】
【０００９】
【図１】光モジュールの分解斜視図
【図２】抜去部品の斜視図
【図３】抜去部品が取り付けられた光モジュールの斜視図
【図４】抜去部品の光モジュールへの取り付け方法の説明図
【図５】第１の実施の形態による抜去部品の斜視図（１）
【図６】第１の実施の形態による抜去部品の斜視図（２）
【図７】第１の実施の形態によるタブの要部拡大図
【図８】第１の実施の形態によるラッチとタブとの接続部分の要部拡大図
【図９】第１の実施の形態による抜去部品の光モジュールへの取り付けの説明図
【図１０】第１の実施の形態による光モジュールの斜視図
【図１１】第２の実施の形態による抜去部品の斜視図
【図１２】第２の実施の形態によるタブの要部拡大図
【図１３】第２の実施の形態によるラッチとタブの接続方法の説明図
【図１４】第２の実施の形態によるラッチとタブとの接続部分の要部拡大図
【図１５】第２の実施の形態による抜去部品の光モジュールへの取り付けの説明図
【図１６】第２の実施の形態による光モジュールの斜視図
【発明を実施するための形態】
【００１０】
本発明を実施するための形態について、以下に説明する。尚、同じ部材等については、同一の符号を付して説明を省略する。
【００１１】
〔第１の実施の形態〕
ラッチとタブとが一体に形成されている抜去部品が取り付けられている光モジュールについて、図１に基づき説明する。
【００１２】
図１に示される光モジュールは、クリップ３０により固定されたレンズ付きフェルール１０及びＭＴフェルール２０、プリント基板４０、光導波路４８が、下部筐体５１と上部筐体５２とを有する筐体内に入れられており、光ケーブル６０が接続されている。尚、レンズ付きフェルール１０とＭＴフェルール２０とは、不図示のガイドピンにより位置合わせをした状態で、クリップ３０により固定されている。
【００１３】
プリント基板４０には、ＦＰＣ（Flexible Printed Circuits）が接続されるコネクタが設けられている。ＦＰＣには、電気信号を光信号に変換するＶＣＳＥＬ（Vertical Cavity Surface Emitting LASER）等の発光素子及び光信号を電気信号に変換するフォトダイオード等の受光素子が搭載されている。また、プリント基板４０には発光素子を駆動する駆動ＩＣ、受光素子から出力される電流を電圧に変換するＴＩＡ、外部との接続のための接続端子が設けられている。プリント基板４０は、下部筐体５１に設置される。
【００１４】
光導波路４８はフレキシブルなシート状の光導波路であり、一方の端はＦＰＣに接続されている。レンズ付きフェルール１０とＭＴフェルール２０とは、本実施の形態によるクリップ３０により挟まれた状態で光モジュールに設置されている。
【００１５】
光導波路４８の他方の端は、レンズ付きフェルール１０側に接続されている。レンズ付きフェルール１０とＭＴフェルール２０は、下部筐体５１に設置される。クリップ３０には２ねじ穴３１が設けられており、下部筐体５１のねじ穴５１ａにねじ５３によりねじどめされ、レンズ付きフェルール１０とＭＴフェルール２０がクリップ３０により下部筐体５１に固定される。
【００１６】
光ケーブル６０には、スリーブ６１ａ、６１ｂがカシメリング６２により固定されている。スリーブ６１ａ、６１ｂが固定されている光ケーブル６０の上下よりケーブルブーツ７１、７２が被せられ、抜去部品７３が取り付けられる。
【００１７】
下部筐体５１に、レンズ付きフェルール１０とＭＴフェルール２０がクリップ３０により固定され、プリント基板４０が載置されている状態で、上部筐体５２が下部筐体５１に被せられ、上部筐体５２のねじ穴５２ａと、下部筐体５１のねじ穴５１ｂとを位置合わせした状態で、ねじ５４によりねじどめされる。
【００１８】
図２に示されるように、抜去部品７３は、金属材料により形成されたラッチ７４と樹脂材料により形成されたタブ７５とを有している。図２は抜去部品７３の斜視図である。また、図３は、筐体５０に抜去部品７３が取り付けられた光モジュールの斜視図である。
【００１９】
ラッチ７４は、筐体５０の側面の両側を支持する２つの支持部７４ａと、支持部７４ａを接続する梁部７４ｂを有している。支持部７４ａは抜去方向に長く形成されており、その一端近傍の接続部は筐体５０に接続される。
【００２０】
タブ７５は、本体部７５ａと、本体部７５ａの両側に設けられた接続部７５ｂ、光モジュールを抜去する際に指を入れる穴７５ｃが設けられている。タブ７５は、接続部７５ｂによりラッチ７４と接続される。抜去部品７３はインサート成形等によりラッチ７４とタブ７５とが一体的に形成され、各々の支持部７４ａの他端が、タブ７５の接続部７５ｂに各々接続されて固定されている。
【００２１】
梁部７４ｂは、支持部７４ａの伸びる方向、即ち、抜去方向に対し垂直に形成されており、筐体５０に取り付けられた状態で筐体５０の下側となる。また、タブ７５は、筐体５０に接続されるケーブルブーツ７１、７２の上側に取り付けられている。
【００２２】
抜去部品７３を筐体５０に取り付ける際には、ラッチ７４の支持部７４ａ及び梁部７４ｂ、タブ７５の本体部７５ａ及び接続部７５ｂに囲まれた閉じられた領域に、光ケーブル６０が接続されている筐体５０を入れる。このため、取り付け作業に手間取り、取り付けにくい。図４（ａ）に示すように、ラッチ７４とタブ７５との間にケーブルブーツ７１、７２及び下部筐体５１を入れて、図４（ｂ）に示すように抜去部品７３を取り付けるが、この際、折曲部７４ｃの内側に下部筐体５１の凸部５１ｃが入り、ラッチ７４の当接部７４ｄが下部筐体５１の当接部５１ｄと接するように接続する必要がある。
【００２３】
（抜去部品及び光モジュール）
次に、第１の実施の形態による抜去部品及び光モジュールについて、図５及び図６に基づき説明する。尚、図５は分離した状態のラッチ１１０とタブ１２０の斜視図であり、図５（ａ）及び（ｂ）は異なる方向から見た斜視図である。図６は接続された状態のラッチ１１０とタブ１２０の斜視図であり、図６（ａ）及び（ｂ）は異なる方向から見た斜視図である。
【００２４】
本実施の形態による抜去部品１００は、分離可能なラッチ１１０とタブ１２０を有する。ラッチ１１０とタブ１２０は同じ材料により形成してもよいが、各々の機能の観点から異なる材料により形成されていることが好ましい。
【００２５】
抜去部品１００は、ラッチ１１０とタブ１２０とを接続することにより形成される。ラッチ１１０は金属等によりコの字状に形成されており、抜去方向に伸びる２つの支持部１１１と、支持部１１１を接続する梁部１１２を有する。支持部１１１の一方の端部近傍に形成された接続部１１１ａは筐体５０に接続され、他方の端部は梁部１１２により接続されている。本実施の形態においては、２つの支持部１１１の間隔ｄ１よりも、梁部１１２の幅方向のｄ２が短くなるように形成されている。これは、抜去部品の幅が広がることを防ぐためである。
【００２６】
タブ１２０は樹脂材料等により形成されており、本体部１２１の一方の側にはラッチ１１０と接続するための接続溝１２２が各々設けられている。接続溝１２２にラッチ１１０の支持部１１１と梁部１１２との間の接続部１１３を入れることにより、ラッチ１１０とタブ１２０とが接続される。本体部１２１の他方の側には、指により引っ張ることができる取手１２３が形成されている。
【００２７】
図７に示すように、本体部１２１の一方の側には、抜去方向に対し垂直方向に出っ張った第１の突起部１２４及び第２の突起部１２５が形成されており、第１の突起部１２４と第２の突起部１２５との間の空間が接続溝１２２となる。図７は接続溝１２２を拡大した斜視図であり、図７（ａ）、（ｂ）は異なる方向から見た斜視図である。
【００２８】
接続溝１２２は、第１の突起部１２４及び第２の突起部１２５が向き合うように形成されている。第１の突起部１２４には接続溝１２２側に出っ張った第１のフック１２４ａが形成されており、接続溝１２２の底面１２２ａと第１のフック１２４ａとの間には隙間１２４ｂが形成されている。また、第２の突起部１２５には接続溝１２２側に出っ張った第２のフック１２５ａが形成され、底面１２２ａと第２のフック１２５ａとの間には隙間１２５ｂが形成されている。
【００２９】
ラッチ１１０とタブ１２０は、接続部１１３を接続溝１２２に入れることにより接続できる。具体的には、第１のフック１２４ａ及び第２のフック１２５ａの内側の隙間１２４ｂ及び１２５ｂに接続部１１３を入れることにより、ラッチ１１０とタブ１２０を接続できる。隙間１２４ｂ及び１２５ｂに接続部１１３が入れられている状態では、接続部１１３は第１のフック１２４ａ及び第２のフック１２５ａにより押さえられているため、接続溝１２２より容易に抜け出ることはない。
【００３０】
接続部１１３が入れやすいように、第１のフック１２４ａの接続溝１２２の入口側には傾斜部１２４ｃが形成されており、第２のフック１２５ａの接続溝１２２の入口側にも傾斜部１２５ｃが形成されている。また、接続溝１２２に接続部１１３を入れた際にラッチ１１０が外側に出っ張らないように、第１のフック１２４ａおよび第２のフック１２５ａには、接続部１１３の厚さに対応してその一部を除去した切り欠け部１２４ｄおよび切り欠け部１２５ｄがそれぞれ形成されている。
【００３１】
図８は、接続された状態のラッチ１１０とタブ１２０を拡大した斜視図であり、図８（ａ）、（ｂ）は異なる方向から見た斜視図である。本実施の形態においては、ラッチ１１０とタブ１２０とを接続した状態で、タブ１２０の取手１２３及び本体部１２１、ラッチ１１０の梁部１１２により囲まれた開口部１２６が形成される。
【００３２】
次に、抜去部品１００の筐体５０への取り付けについて、図９に基づき説明する。最初に、図９（ａ）に示されるように、ケーブルブーツ７１、７２及び下部筐体５１の上で、抜去部品１００と下部筐体５１との位置合わせを行い、破線矢印Ａに示す方向に抜去部品１００を移動させて図９（ｂ）に示すように下部筐体５１の所望の位置に取り付ける。従って、図４で説明した場合と比べて、抜去部品を取り付けることが容易である。これは、抜去部品１００では、筐体５０が入れられる図示下方の領域の一部が開いているためである。
【００３３】
図１０は、抜去部品１００が取り付けられている光モジュールの斜視図である。本実施の形態においては、筐体５０にラッチ１１０が接続されている状態でもタブ１２０のみをラッチ１１０から取り外すことができるため、タブ１２０のみの交換も容易に行うことができる。
【００３４】
〔第２の実施の形態〕
次に、第２の実施の形態による抜去部品及び光モジュールについて、図１１及び図１２に基づき説明する。本実施の形態による抜去部品２００は、分離可能なラッチ１１０とタブ２２０を有する。図１１（ａ）は分離した状態のラッチ１１０とタブ２２０の斜視図であり、図１１（ｂ）は接続された状態のラッチ１１０とタブ２２０の斜視図である。図１２はタブ２２０の要部を拡大した斜視図である。
【００３５】
抜去部品２００は、ラッチ１１０とタブ２２０とを接続することにより形成される。
【００３６】
タブ２２０は樹脂材料等により形成されており、タブ２２０の本体部２２１の一方の側にはラッチ１１０と接続するための引っ掛け部２２２が各々設けられている。引っ掛け部２２２に、ラッチ１１０の支持部１１１と梁部１１２との間の接続部１１３を入れることにより、ラッチ１１０とタブ２２０とが接続される。本体部２２１の他方の側は、指等により引っ張ることができるように取手２２３が形成されている。
【００３７】
図１２に示すように、引っ掛け部２２２はタブ２２０の内側に抜去方向と略平行に形成されており、本体部２２１と引っ掛け部２２２との間には、接続部１１３が入る接続溝２２４が形成されている。本体部２２１と接続溝２２４とは端部２２５の側が閉じられており、反対側は開いている。よって、開いている側から接続部１１３を接続溝２２４に入れることができる。
【００３８】
２つのタブ２２０に設けられた引っ掛け部２２２は、向かい合うように形成されている。引っ掛け部２２２の接続溝２２４の入口には、接続溝２２４の側に出っ張ったフック２２２ａが形成されており、接続部１１３をフック２２２ａよりも奥の接続溝２２４に入れることによりタブ２２０とラッチ１１０とを接続し、且つタブ２２０の抜けを防止することができる。
【００３９】
次に、図１３に基づきラッチ１１０とタブ２２０との接続について説明する。ラッチ１１０とタブ２２０とを接続する際には、最初に、図１３（ａ）に示すように、梁部１１２が本体部２２１の内側に入るようにラッチ１１０とタブ２２０の位置合わせを行い、タブ２２０を破線矢印Ｂに示すように移動させた後、図１３（ｂ）に示すようにタブ２２０を右側に移動させる。これにより、図１３（ｃ）に示すように接続部１１３が接続溝２２４に入り、ラッチ１１０とタブ２２０とを接続できる。接続部１１３は引っ掛け部２２２に設けられたフック２２２ａにより押さえられているため、接続部１１３が接続溝２２４より抜け出ることはない。
【００４０】
接続溝２２４に接続部１１３を入れやすいように、図１２に示されるようにフック２２２ａには接続溝２２４の入口側に傾斜部２２２ｂが形成されている。また、接続溝２２４に接続部１１３を入れた際にラッチ１１０が外側に出っ張らないように、フック２２２ａには、接続部１１３の厚さに対応してフック２２２ａの一部を除去した切り欠け部２２２ｃが形成されている。図１４は接続された状態のラッチ１１０とタブ２２０を拡大した斜視図であり、図１４（ａ）、（ｂ）は異なる方向から見た斜視図である。
【００４１】
本実施の形態では、ラッチ１１０とタブ２２０とを接続した状態で、タブ２２０の取手２２３、本体部２２１、およびラッチ１１０の梁部１１２により囲まれた開口部２２６が形成される。
【００４２】
次に、抜去部品２００を筐体５０に取り付ける方法について、図１５に基づき説明する。最初に、図１５（ａ）に示されるように、抜去部品２００と下部筐体５１との位置合わせを行い、破線矢印Ｄに示す方向に抜去部品２００を移動させて図１５（ｂ）に示すように下部筐体５１に取り付ける。本実施の形態による抜去部品２００は、図１５（ａ）等に示すように、筐体５０が入れられる図示下方の領域が開いているため、筐体５０が入れやすくなっている。
【００４３】
図１６は抜去部品２００が取り付けられている光モジュールの斜視図である。本実施の形態においても、筐体５０にラッチ１１０が接続されている状態でタブ２２０のみをラッチ１１０から取り外すことができ、タブ２２０のみの交換も容易に行うことができる。
【００４４】
尚、上記以外の内容については、第１の実施の形態と同様である。
【００４５】
以上、本発明の実施に係る形態について説明したが、上記内容は、発明の内容を限定するものではない。
【符号の説明】
【００４６】
５０        筐体
１００      抜去部品
１１０      ラッチ
１１１      支持部
１１２      梁部
１１３      接続部
１２０      タブ
１２１      本体部
１２２      接続溝
１２３      取手
１２４      第１の突起部
１２４ａ    第１のフック
１２４ｂ    隙間
１２４ｃ    傾斜部
１２４ｄ    切り欠け部
１２５      第２の突起部
１２５ａ    第２のフック
１２５ｂ    隙間
１２５ｃ    傾斜部
１２５ｄ    切り欠け部
１２６      開口部
【図１】
2018169490.tif 000003
【図２】
2018169490.tif 000004
【図３】
2018169490.tif 000005
【図４】
2018169490.tif 000006
【図５】
2018169490.tif 000007
【図６】
2018169490.tif 000008
【図７】
2018169490.tif 000009
【図８】
2018169490.tif 000010
【図９】
2018169490.tif 000011
【図１０】
2018169490.tif 000012
【図１１】
2018169490.tif 000013
【図１２】
2018169490.tif 000014
【図１３】
2018169490.tif 000015
【図１４】
2018169490.tif 000016
【図１５】
2018169490.tif 000017
【図１６】
2018169490.tif 000018